【手続補正書】
【提出日】平成16年3月17日(2004.3.17)
【手続補正１】
【補正対象書類名】特許請求の範囲
【補正対象項目名】全文
【補正方法】変更
【補正の内容】
【特許請求の範囲】
【請求項１】
機器に対する選択的なアクセスを提供するデータネットワークであって、
それぞれに一意の識別子（ＵＩＤ）が割り当てられた複数の機器と、
それぞれにＵＩＤが割り当てられており、前記機器と無線通信し該機器を制御するべく適合された複数の端末と、
許可情報を保存するべく適合されたデータベースと、を備え、
それぞれの機器は、前記端末の中の１つによる制御を許容する前に、前記許可情報を問い合わせ、前記１つの端末が前記機器を制御するべく許可されていることを検証するデータネットワーク。
【請求項２】
前記データベースは、サーバーコンピュータ内に保存されている請求項１に記載のデータネットワーク。
【請求項３】
前記データベースは、前記端末の中の１つに保存されている請求項１に記載のデータネットワーク。
【請求項４】
前記データベースは、前記機器の中の１つに保存されている請求項１に記載のデータネットワーク。
【請求項５】
機器及び端末は、それらに割り当てられているＵＩＤを送信するべく適合されている請求項１に記載のデータネットワーク。
【請求項６】
前記機器が、既定の条件を満足するＵＩＤについて前記データベースに問い合わせた際に、機器が警告通知を送信する請求項１に記載のデータネットワーク。
【請求項７】
前記機器が、既定の条件を満足するＵＩＤについて前記データベースに問い合わせた際に、端末が警告通知を送信する請求項１に記載のデータネットワーク。
【請求項８】
前記機器が、既定の条件を満足するＵＩＤについて前記データベースに問い合わせた際に、前記サーバーが警告通知を送信する請求項２に記載のデータネットワーク。
【請求項９】
前記既定の条件は、前記端末がいずれの機器をいずれの時点においても制御するアクセス権を有していないということである請求項８に記載のデータネットワーク。
【請求項１０】
第１の端末の許可情報は、第１のアクセス権の組に対応し、第２の端末の許可情報は、前記第１のアクセス権の組とは異なる第２のアクセス権の組に対応している請求項１に記載のデータネットワーク。
【請求項１１】
前記第１のアクセス権の組は、機器に対して常にアクセス可能であるというものを有し、前記第２のアクセス権の組は、機器に対してアクセスできないというものに対応している請求項１０に記載のデータネットワーク。
【請求項１２】
第１の既定期間における機器に対する制御が第１の端末に対して認められている請求項１に記載のデータネットワーク。
【請求項１３】
前記第１の既定期間とは異なる第２の既定期間における前記機器に対する制御が第２の端末に対して認められている請求項１２に記載のデータネットワーク。
【請求項１４】
前記ＵＩＤは、無線通信に使用するネットワークアドレスである請求項１に記載のデータネットワーク。
【請求項１５】
スマート環境において、１つ又は複数の端末による１つ又は複数の機器に対する選択的なアクセスを提供する方法であって、それぞれの端末及びそれぞれの機器は一意の識別子（ＵＩＤ）を有しており、
（ｉ）前記端末の中の１つから前記機器の中の１つにＵＩＤを無線送信する段階と、
（ｉｉ）前記受信したＵＩＤの許可情報についてデータベースに問い合わせる段階と、
（ｉｉｉ）前記データベースが前記端末に対応する既定の許可情報を格納している場合に、前記１つの機器の制御を前記端末に対して認める段階と、
（ｉｖ）前記１つの端末を使用して前記１つの機器を制御する段階と、
を備える方法。
【請求項１６】
前記データベースは、サーバーコンピュータ内に保存されている請求項１５に記載の方法。
【請求項１７】
前記データベースは、前記端末の中の１つに保存されている請求項１５に記載の方法。
【請求項１８】
前記データベースは、前記機器の中の１つに保存されている請求項１５に記載の方法。
【請求項１９】
（ｖ）前記段階（ｉｉ）における問合せにおいて、前記端末のＵＩＤが既定の条件を満足すると判定された場合に、既定の場所に対して通知を送信する段階、
を有する請求項１５に記載の方法。
【請求項２０】
前記既定の条件は、前記スマート環境内において、前記１つの端末がいずれの機器をいずれの時点においても制御するアクセス権を有していないというものである請求項１９に記載の方法。
【請求項２１】
第１の端末の許可情報が第１のアクセス権の組に対応し、第２の端末の許可情報が第２のアクセス権の組に対応している請求項１５に記載の方法。
【請求項２２】
第１の既定期間における機器に対する制御が第１の端末に対して認められている請求項１５に記載の方法。
【請求項２３】
前記第１の既定期間とは異なる第２の既定期間における前記機器に対する制御が第２の端末に対して認められている請求項２２に記載の方法。
【請求項２４】
無線端末であって、
少なくとも１つの機器と通信し、一意の識別子（ＵＩＤ）を送信すると共に機器から送信される機器ＵＩＤを聴取することを繰り返す無線トランシーバと、
一意の端末識別子（ＵＩＤ）と；少なくとも１つの機器の制御に対応する情報を有する機器データベースと；実行された際に、受信した機器ＵＩＤに対応する情報について前記機器データベースに問い合わせる段階を前記端末に実行させるコンピュータ可読命令と；を有するデータを保存するメモリと、
を備える無線端末。
【請求項２５】
前記無線トランシーバは、無線通信を使用して通信する請求項２４に記載の無線端末。
【請求項２６】
前記メモリ内に保存されている前記データは、許可データベースを更に有しており、前記コンピュータ可読命令は、前記端末に、
（ｉｉ）機器から許可要求を受信する段階と、
（ｉｉｉ）前記許可要求に基づいて前記許可データベースに対して問い合わせる段階と、
（ｉｖ）問合せ結果を前記機器に対して送信する段階と、
を更に実行させる請求項２４に記載の無線端末。
【請求項２７】
コンピュータ可読命令を有するコンピュータ可読媒体であって、
前記コンピュータ可読命令は、機器において実行された際に、前記機器に、
（ｉ）一意の機器識別子（ＵＩＤ）を送信する段階と、
（ｉｉ）端末ＵＩＤを受信する段階と、
（ｉｉｉ）前記端末ＵＩＤに対応する許可情報について許可データベースに問い合わせる段階と、
（ｉｖ）前記段階（ｉｉｉ）において返された許可情報に基づいて、前記受信した端末ＵＩＤに対応する端末による前記機器に対するアクセスを選択的に認める段階と、
を実行させるコンピュータ可読媒体。
【請求項２８】
前記コンピュータ可読命令は、前記段階（ｉｉｉ）の問合せにおいて、既定の基準を満足する情報が返された場合に、通知を送信する段階を更に実行する請求項２７に記載のコンピュータ可読媒体。
【請求項２９】
前記基準は、前記返された情報が、前記端末がいずれの既知の機器に対するアクセス権をも有していないことを表しているというものである請求項２８に記載のコンピュータ可読媒体。
【請求項３０】
機器であって、
少なくとも１つの端末と通信し、一意の識別子（ＵＩＤ）を送信すると共に端末から送信される端末ＵＩＤを聴取することを繰り返す無線トランシーバと、
前記機器に関連付けられた前記一意の識別子（ＵＩＤ）と；実行された際に、前記機器に、（ｉ）受信した端末ＵＩＤに対応する情報について許可データベースに問い合わせる段階と、（ｉｉ）前記段階（ｉ）の問合せ結果が既定の基準を満足する場合に、前記受信した端末ＵＩＤに関連付けられている端末が前記機器を制御することを許容する段階と、を実行させるコンピュータ可読命令と；を有するデータを保存するメモリと、
を備える機器。
【請求項３１】
前記トランシーバは、無線通信を使用して通信する請求項３０に記載の機器。
【請求項３２】
前記許可データベースは、前記メモリ内に保存されている請求項３０に記載の機器。
【請求項３３】
前記トランシーバは、その他の機器から送信される機器ＵＩＤを聴取し、前記コンピュータ可読命令は、前記機器に、
（ｉｉｉ）既定期間において、第１の受信した機器ＵＩＤの組を記録する段階と、
（ｉｖ）前記既定期間以外の期間において、第２の受信した機器ＵＩＤの組を前記第１の機器ＵＩＤの組と比較する段階と、
を更に実行させる請求項３０に記載の機器。
【請求項３４】
前記コンピュータ可読命令は、前記機器に、前記第１の組と前記第２の組の間における異なるＵＩＤの数が既定の基準を満足する場合に、警告通知を既定の場所に送信する段階を更に実行させる請求項３０に記載の機器。
【請求項３５】
前記コンピュータ可読命令は、前記機器に、前記第１の組と前記第２の組の間における異なるＵＩＤの数が既定の基準を満足する場合に、既定の動作を実行する段階を更に実行させる請求項３０に記載の機器。
【請求項３６】
前記既定の動作は、前記機器の作動を停止させることである請求項３５に記載の機器。
【請求項３７】
前記既定の動作は、通常は前記機器の制御を認められる端末に対して制御を認めないことである請求項３５に記載の機器。
【請求項３８】
前記既定の動作は、前記機器をロックし、この結果、所有者端末が前記機器をアンロックしない限り、いずれの端末も前記機器を制御できないようにすることである請求項３５に記載の機器。
【手続補正２】
【補正対象書類名】明細書
【補正対象項目名】発明の名称
【補正方法】変更
【補正の内容】
【発明の名称】データネットワーク